(57)【要約】      （修正有）【課題】高速カメラや高度な撮影タイミング制御などを要することなく、表示装置の動画質を定量的に評価することが可能な表示装置の評価手法を提供する。【解決手段】液晶ディスプレイ、ＰＤＰなどの動画表示特性を測定、評価する。表示装置には、特定の評価用画像として、一定周期を有する動画が表示される。また、デジタルカメラなどの撮影手段により、表示された動画が撮影周期Ｔｐ毎に撮影され、複数の静止画が生成され、該静止画が時系列に配列されて合成静止画が生成される。この合成静止画は、測定データとしての意味を有し、それに基づいて各種の評価データが生成される。上記の評価装置によれば、撮影周期Ｔｐは、およそ動画の１フレーム期間（１／６０秒）の整数ｎ倍と長くすることができるので、特殊なカメラを要することなく、民生用のデジタルカメラなどにより動画表示特性を得ることができる。【選択図】図３
2005269058.tif 000002
【特許請求の範囲】
【請求項１】
一定周期Ｔｄを有する動画を、評価対象の表示装置上に繰り返し表示させる表示制御手段と、
前記一定周期Ｔｄの整数ｎ倍と所定時間Δｔとの和である撮影周期Ｔｐ毎に、前記表示装置上に表示された動画を撮影して複数の静止画を生成する撮影手段と、
前記複数の静止画を時系列に配列して、前記動画の１フレームに対応する合成静止画を生成する合成静止画生成手段と、
前記合成静止画に基づいて、前記表示装置の画質を示す評価データを生成する評価手段と、を備えることを特徴とする表示装置の評価装置。
【請求項２】
前記動画の１フレームの時間をＴｆとし、前記動画の１フレームの分割数をＮとしたとき、前記所定時間Δｔは、
Δｔ＝Ｔｆ／Ｎ
で与えられ、
前記撮影手段は前記動画を少なくともＮ回撮影して静止画を生成することを特徴とする請求項１に記載の表示装置の評価装置。
【請求項３】
前記一定周期Ｔｄ、前記整数ｎ、及び前記表示装置上における前記動画の表示領域は、前記撮影周期Ｔｐが前記撮影手段の最小撮影周期以上となるように決定されることを特徴とする請求項１に記載の表示装置の評価装置。
【請求項４】
前記合成静止画生成手段は、前記複数の静止画を撮影された順に配列して前記合成静止画を生成することを特徴とする請求項１に記載の表示装置の評価装置。
【請求項５】
前記動画は所定の画像パターンが一定速度で移動する動画であり、
前記合成静止画生成手段は、前記複数の静止画を、各静止画に含まれる前記パターンの位置が一致するように相互に配列して平均化することにより前記合成静止画を生成することを特徴とする請求項１に記載の表示装置の評価装置。
【請求項６】
前記画像パターンには位置合わせ用のマークが含まれており、
前記合成静止画生成手段は前記位置合わせ用のマークを利用して前記複数の静止画を配列することを特徴とする請求項５に記載の表示装置の評価装置。
【請求項７】
一定周期Ｔｄを有する動画を、評価対象の表示装置上に繰り返し表示させる表示制御工程と、
前記一定周期Ｔｄの整数ｎ倍と所定時間Δｔとの和である撮影周期Ｔｐ毎に、前記表示装置上に表示された動画を撮影して複数の静止画を生成する撮影工程と、
前記複数の静止画を時系列に配列して、前記動画の１フレームに対応する合成静止画を生成する合成静止画生成工程と、
前記合成静止画に基づいて、前記表示装置の画質を示す評価データを生成する評価工程と、を備えることを特徴とする表示装置の評価方法。
【請求項８】
コンピュータ上で実行されることにより、
一定周期Ｔｄを有する動画を、評価対象の表示装置上に繰り返し表示させる表示制御手段、
前記一定周期Ｔの整数ｎ倍と所定時間Δｔとの和である撮影周期Ｔｐ毎に、前記表示装置上に表示された動画を撮影して複数の静止画を生成する撮影手段、
前記複数の静止画を時系列に配列して、前記動画の１フレームに対応する合成静止画を生成する合成静止画生成手段、
前記合成静止画に基づいて、前記表示装置の画質を示す評価データを生成する評価手段、として前記コンピュータを機能させることを特徴とする表示装置の評価プログラム。
【発明の詳細な説明】
【技術分野】
【０００１】
本発明は、動画像などを表示する表示装置の評価手法に関する。
【背景技術】
【０００２】
液晶などの表示装置の動画表示特性を定量的に評価する方法として、固定カメラを用いる方法が特許文献１に提案されている。この文献の方法は、固定したカメラで動画像の１フレームを複数（例えば８個）に分割して高速シャッターで撮影する。そして、撮影された時系列の静止画を合成し、その輝度や断面プロファイルなどから、表示画像のぼけ量などの動画表示特性を定量的に評価している。
【０００３】
しかし、上記の手法では、１フレーム（１／６０秒）を分割して撮影するため、撮影間隔が数msecオーダーである高価な工業用高速カメラが必要となる。加えて、１フレームの動画を分割撮影するため、表示装置上への動画表示とカメラとの撮影タイミングの高度な制御が必要となる。また、上記の手法は、撮影タイミングをとるためのフォトセンサーなどで面積が必要であるため、比較的大きなディスプレイを対象としており、数インチ程度の小型ディスプレイには不向きである。
【０００４】
【特許文献１】特開２００１−２０４０４９号公報
【発明の開示】
【発明が解決しようとする課題】
【０００５】
本発明は、以上の点に鑑みてなされたものであり、高速カメラや高度な撮影タイミング制御などを要することなく、表示装置の動画質を定量的に評価することが可能な表示装置の評価手法を提供することを課題とする。
【課題を解決するための手段】
【０００６】
本発明の１つの観点では、表示装置の評価装置は、一定周期Ｔｄを有する動画を、評価対象の表示装置上に繰り返し表示させる表示制御手段と、前記一定周期Ｔｄの整数ｎ倍と所定時間Δｔとの和である撮影周期Ｔｐ毎に、前記表示装置上に表示された動画を撮影して複数の静止画を生成する撮影手段と、前記複数の静止画を時系列に配列して、前記動画の１フレームに対応する合成静止画を生成する合成静止画生成手段と、前記合成静止画に基づいて、前記表示装置の画質を示す評価データを生成する評価手段と、を備える。
【０００７】
上記の表示装置の評価装置は、例えば液晶ディスプレイ、ＰＤＰなどの表示装置に適用することができ、当該表示装置の動画表示特性を測定、評価する。評価対象となる表示装置には、特定の評価用画像として、一定周期を有する動画が表示される。また、例えばデジタルカメラなどの撮影手段により、表示された動画が撮影周期Ｔｐ毎に撮影され、複数の静止画が生成される。ここで、撮影周期Ｔｐは、評価用画像としての動画の周期をＴｄ、その繰り返し回数をｎ、所定のシフト時間をΔｔとすると、Ｔｐ＝Ｔｄ×ｎ＋Δｔで与えられる。そして、撮影により得られた複数の静止画が時系列に配列されて合成静止画が生成される。この合成静止画は、表示装置の動画表示特性を示す測定データであり、それに基づいて各種の評価がなされ、評価データが生成される。
【０００８】
上記の評価装置によれば、撮影周期Ｔｐは、およそ動画の１フレーム期間（１／６０秒）の整数ｎ倍となり、１フレーム期間中に必要数の撮影を完了する必要がないので、高速撮影が可能な特殊なカメラを要することなく、民生用のデジタルカメラなどにより動画表示特性を得ることができる。
【０００９】
上記の評価装置の一態様では、前記動画の１フレームの時間をＴｆとし、前記動画の１フレームの分割数をＮとしたとき、前記所定時間Δｔは、Δｔ＝Ｔｆ／Ｎで与えられ、前記撮影手段は前記動画を少なくともＮ回撮影して静止画を生成する。
【００１０】
この態様では、１つのフレームについてＮ個の静止画を撮影する場合には、当該１フレーム中に全てを撮影するのではなく、動画を繰り返し表示させつつ所定時間Δｔだけタイミングをずらして長い撮影周期でＮ個の静止画を撮影する。よって、高速なシャッター機能を有する工業用カメラなどを使用する必要がない。
【００１１】
上記の評価装置の一態様では、前記一定周期Ｔｄ、前記整数ｎ、及び前記表示装置上における前記動画の表示領域は、前記撮影周期Ｔｐが前記撮影手段の最小撮影周期以上となるように決定される。これにより、市販のデジタルカメラを使用し、本発明の装置を容易かつ安価に実現することが可能となる。
【００１２】
好適な例では、前記合成静止画生成手段は、前記複数の静止画を撮影された順に配列して前記合成静止画を生成することができる。所定のシフト時間Δｔを含む撮影タイミングを正確に調整することができる場合には、撮影により得られた順序で複数の静止画を合成すればよい。
【００１３】
また、他の好適な例では、前記動画は所定の画像パターンが一定速度で移動する動画であり、前記合成静止画生成手段は、前記複数の静止画を、各静止画に含まれる前記パターンの位置が一致するように相互に配列して平均化することにより前記合成静止画を生成する。所定のシフト時間Δｔを含む撮影タイミングを正確に調整することが難しい場合には、複数回の撮影を行い、得られた静止画を、その動画に含まれる画像パターンを利用して配列して平均化することにより、合成静止画を生成することができる。
【００１４】
この場合、前記画像パターンに位置合わせ用のマークが含め、前記合成静止画生成手段が前記位置合わせ用のマークを利用して前記複数の静止画を配列するように構成することにより、位置合わせがより容易となる。
【００１５】
本発明の他の観点では、表示装置の評価方法は、一定周期Ｔｄを有する動画を、評価対象の表示装置上に繰り返し表示させる表示制御工程と、前記一定周期Ｔｄの整数ｎ倍と所定時間Δｔとの和である撮影周期Ｔｐ毎に、前記表示装置上に表示された動画を撮影して複数の静止画を生成する撮影工程と、前記複数の静止画を時系列に配列して、前記動画の１フレームに対応する合成静止画を生成する合成静止画生成工程と、前記合成静止画に基づいて、前記表示装置の画質を示す評価データを生成する評価工程と、を備える。この方法を実行することにより、上記の評価装置と同様に、低コストで表示装置の評価が可能となる。
【００１６】
本発明の他の観点では、表示装置の評価プログラムは、コンピュータ上で実行されることにより、一定周期Ｔｄを有する動画を、評価対象の表示装置上に繰り返し表示させる表示制御手段、前記一定周期Ｔの整数ｎ倍と所定時間Δｔとの和である撮影周期Ｔｐ毎に、前記表示装置上に表示された動画を撮影して複数の静止画を生成する撮影手段、前記複数の静止画を時系列に配列して、前記動画の１フレームに対応する合成静止画を生成する合成静止画生成手段、前記合成静止画に基づいて、前記表示装置の画質を示す評価データを生成する評価手段、として前記コンピュータを機能させる。このプログラムを例えばＰＣなどのコンピュータ上で実行することにより、上記の評価装置を実現することができる。
【発明を実施するための最良の形態】
【００１７】
［原理説明］
まず、本発明による表示装置の評価方法の原理について説明する。表示装置に動画を表示した場合、通常、人間の眼は動画の変化に追従して画像を認識している。例えば、動画中に特徴的な部分や注意を引くパターンなどの対象物などが含まれている場合、人間の眼はそれを追いかけるのが自然である。よって、人間が眼により認識する画像は、対象物の移動に合わせて表示装置の画面上の位置を移動させながら、表示画像の輝度を時間積分したものと考えることができる。従って、人間が眼により知覚する画像を再現するためには、表示装置上に表示されている画像を短い時間幅で連続的に撮影し、画像の移動方向にずらしながら合成すればよい。こうして、人間が知覚する動画像に近い画像を、カメラなどを使用して擬似的に生成することができ、それを用いて、表示装置の動画質を評価することができる。
【００１８】
液晶表示装置などの表示装置では、基本的に画素を構成する素子が輝度に対応するデータを保持する構成を有するため、動画を表示した際に「動画ぼけ」の問題がある。動画ぼけとは、動画、特に変化の大きい動画を表示した場合に、画像の階調変化に対して素子応答が遅れ、変化前の画像成分が残像のように残って見えることをいう。
【００１９】
図１（ａ）に動画ぼけの例を示す。表示画面上に、棒状の画像パターン３０が矢印の方向へ移動する動画を表示する。動画ぼけが生じると、図中右側に示すように、画像パターン３１の輪郭が不鮮明となる。この現象は、画像パターン３０の移動速度が早いほど顕著となる。
【００２０】
従って、動画ぼけなどを含む表示装置の動画表示特性を測定するには、画像パターン３０などのあるパターンを、測定・評価の対象となる表示装置上に表示し、その画像をカメラにより撮影する。具体的には、図１（ｂ）に示すような矩形（棒状）の画像パターン（以下、「棒状パターン」とも呼ぶ。）１０が一定速度で移動する動画を表示画面上に表示する。この例では、棒状パターン１０の縦幅は表示装置の８０ドットとし、棒状パターン１０を表示画面上で移動させる移動幅を４００ドットとしている。棒状パターン１０は動画の１フレーム（本例では、１／６０秒）毎に図中右方向へ移動し、単位時間当たりの移動量（移動速度）は表示画面上の移動ドット数、例えばppf（pixel per frame）で表す。
【００２１】
図２は棒状パターン１０を表示画面上で移動させる様子を模式的に示す。縦方向が時間を示し、横方向が棒状パターン１０の位置を示す。移動速度に応じて、棒状パターン１０は１フレーム（１／６０秒）毎にΔｄだけ移動する。
【００２２】
人間が知覚する動画を再現するには、棒状パターン１０を表示画面上で移動させつつ、その画像を高速シャッターで撮影して複数の静止画を取得し、それらを時系列に配列して平均化すればよい。
【００２３】
しかし、実際の動画は１フレームが１／６０秒程度であるため、１フレームの表示期間中に必要な数の静止画を撮影するためには、非常に高速な撮影周期が要求される。例えば、１フレームの画像を８個に分割して８枚の静止画を撮影するためには、撮影周期は、（１／６０秒）×（１／８）＝約２msec（１／５００msec）となり、非常に高速撮影が可能なカメラが要求される。
【００２４】
そこで、本発明では、１フレーム期間中に必要数全ての静止画を撮影するのではなく、評価に使用する動画（以下、「評価用画像」とも呼ぶ。）を所定の表示周期で繰り返し表示し、１フレーム期間に対して長い撮影周期で１枚ずつの静止画を撮影する。これを必要数だけ繰り返す。
【００２５】
図３に、本発明の測定原理を模式的に示す。図中、縦方向が時間を示し、横方向が表示画面上の位置を示す。評価用画像の表示周期Ｔｄは１フレーム（＝１／６０秒）であり、最終的には１フレームを８分割した８枚の静止画ｐ１〜ｐ８を撮影するものとする。この場合、表示周期Ｔｄを有する評価用画像を表示画面上に８周期分（８回、Ｔｄ１〜Ｔｄ８）表示する。そして、第１周期Ｔｄ１では１枚目の静止画ｐ１を撮影し、第２周期Ｔｄ２では２枚目の静止画ｐ２を撮影し、第３周期Ｔｄ３では３枚目の静止画ｐ３を撮影し、という処理を、８周期分繰り返す。これにより、１フレームを８分割した８枚の静止画を得ることができる。
【００２６】
より一般化すれば、上述のように棒状パターンが１フレーム毎に右へ移動し、１フレームをＮ分割してＮ枚の静止画を撮影するものとすると、まず、表示周期Ｔｄの評価用画像をＮ周期分（Ｎ回）表示する。そして、下式で与えられる撮影周期Ｔｐ毎にＮ回撮影を行えば、１／Ｎ、２／Ｎ、３／Ｎ、...というように１フレームをＮ分割した各静止画が順次得られることとなる。
【００２７】
Ｔｐ＝（１／６０秒）＋（１／６０秒）×（１／Ｎ）  ［秒］      （式１）
これらのＮ枚の静止画を平均した平均画像を生成すれば、図３に示すように、動画ぼけを含む画像を得ることができる。
図３に模式的に示されるように、こうして得られた８枚の静止画を合成して平均画像が生成される。そして、その平均画像を横方向にスライスして輝度プロファイルを生成し、それを分析することにより動画ぼけの量などの画像表示特性を定量的に測定、評価することが可能となる。
【００２８】
［第１実施形態］
次に、上記の原理に基づく第１実施形態について説明する。
【００２９】
図４に、本発明を適用した表示装置の評価システムの概略構成を示す。評価システム１は、評価対象となる表示装置２と接続されて当該表示装置２の動画表示特性を測定、評価するものであり、デジタルカメラ３と、パーソナルコンピュータ（ＰＣ）４と、モニタ５とを備える。
【００３０】
表示装置２は、例えば液晶ディスプレイ、ＰＤＰなどが対象となるが、これらに限定されるものではなく、動画を表示可能な装置であればその方式や種類は問わない。
【００３１】
デジタルカメラ３は表示装置２上に表示される評価用画像（動画）を、所定の撮影周期で撮影して静止画を生成するものである。前述のように、撮影周期を長くすることができるので、工業用などの高速シャッターを備えたカメラでなくてもよく、民生用のデジタルカメラを使用することもできる。
【００３２】
ＰＣ４は、評価用画像の撮影のために、評価対象である表示装置２及びデジタルカメラ３を制御するためのものであり、そのための画像撮影プログラムを記憶している。ＰＣ４は一般的に、ＣＰＵ、ＲＡＭ、ＲＯＭなどを備えており、上記の画像撮影プログラムを実行することにより、表示装置２及びデジタルカメラ３を制御する。
【００３３】
モニタ５はＰＣ４と接続されており、測定にあたって作業者がＰＣ４を操作する上で必要な情報を表示するものである。また、モニタ５には、必要に応じて、撮影により得られた静止画、それらを合成した合成画像（平均画像）、合成画像の輝度プロファイルなどの必要なデータが表示される。
【００３４】
図５（ａ）に、評価用画像の例を示す。棒状パターン１０が表示装置２の表示画面上のＡ点から出現し、右方向へ一定速度ｘ［ppf］で移動し、Ｂ点で消失し、再びＡ点から出現する動画を評価用画像として使用する。点ＡＢ間の距離Ｌ［pixel］とし、１フレーム（１／６０秒）をＮ分割したＮ枚の時系列静止画を撮影するものとする。
【００３５】
図６に撮影方法を模式的に示す。図中、縦方向が時間を示し、横方向が表示画面上の位置を示す。棒状パターン１０は表示画面上の点Ａから現れ、表示周期Ｔｄの間に１フレーム毎に右方向へ移動して点Ｂに到る。表示周期Ｔｄの表示を繰り返し回数ｎ（整数）回繰り返す期間が繰り返し表示周期Ｔで示される。
【００３６】
いま、繰り返し表示周期Ｔに含まれる複数のフレームのうち、棒状パターン１０ａで示すフレームについてＮ分割の静止画を撮影することを考える。この場合、最初の繰り返し表示周期Ｔでは撮影タイミングTAKE1で静止画を撮影し、次の繰り返し表示周期Ｔでは、それから撮影周期Ｔｐだけ経過後の撮影タイミングTAKE2で撮影を行う。撮影周期Ｔｐは、繰り返し表示周期Ｔと所定のシフト時間Δｔを用いて、
Ｔｐ  ＝  Ｔ  ＋  Δｔ                            （式２）
と表すことができる。
【００３７】
ここで、シフト時間Δｔは、
Δｔ  ＝  （１／６０秒）×（１／Ｎ）    ［秒］    （式３）
となる。
【００３８】
いま、点ＡＢの区間において棒状パターン１０ａを観測した場合、繰り返し表示周期Ｔは、
Ｔ  ＝  ｎ×（Ｌ／ｘ）×（１／６０秒）            （式４）
であり、繰り返し表示周期Ｔ毎に表示画面上の同じ位置に棒状パターン１０ａを観測することができる。なお、単位表示周期Ｔｐを繰り返す回数（繰り返し表示回数：整数）である。従って、さらにシフト時間Δｔ後に観測すると、その位置から１フレームをＮ分割した最初の静止画を観測することができる。よって、撮影周期ＴｐでＮ回連続撮影すれば、等価的に１フレームをＮ分割したＮ枚の全ての静止画が順次得られる。
【００３９】
比較のため、特許文献１に記載されているように、１フレーム中のＮ分割の静止画を全て撮影する場合の撮影方法を図５（ｂ）に模式的に示す。分割数Ｎ＝８と仮定すると、１フレーム（１／６０秒）内に８回撮影する必要がある。これに対し、本発明では動画の周期性を利用して棒状パターンが表示画面上の同位置に周期的に到来するように調整することにより、撮影間隔Ｔｐを数十秒と長くすることができ、一般の民生用デジタルカメラで撮影が可能となる。例えば評価用画像の速度ｘ＝８ppf、分割数Ｎ＝８、繰り返し表示回数ｎ＝２０回、点ＡＢ間の距離Ｌ＝４８０ピクセルとすると、撮影周期Ｔｐは２０秒程度となり、一般の民生用デジタルカメラで撮影できるレベルとなる。
【００４０】
次に、撮影処理について図７のフローチャートを参照して説明する。なお、この撮影処理は、基本的に図４に示すＰＣ４が画像撮影プログラムを実行することにより実施される。
【００４１】
まず、ＰＣ４は、評価用画像のパラメータを設定する（ステップＳ１）。パラメータとは、棒状パターン１０の幅、移動速度ｘ、繰り返し表示回数ｎ、分割数Ｎなどを含む。次に、ＰＣ４は、設定されたパラメータに基づいて棒状パターン１０の表示幅、撮影周期などを設定する（ステップＳ２）。そして、ＰＣ４は表示装置２を制御して棒状パターン１０を含む評価用画像を表示させ（ステップＳ３）、予定数の静止画を連続撮影する（ステップＳ４）。予定数の撮影が終了すると評価用画像の表示を停止し（ステップＳ５）、取得した画像が正しく撮影できているか否かを確認する（ステップＳＳ６）。この判定は、画像処理により自動に行ってもよいし、モニタ５に撮影画像を表示して作業者の目視による行ってもよい。撮影に失敗した不良画像が多数含まれる場合は、ステップＳ３に戻り、評価用画像の表示及び撮影をやり直す。
【００４２】
予定数の正しい撮影画像が得られると（ステップＳ６；Yes）、予定のパラメータ全てについて撮影が完了したか否かが判定される。例えば、棒状パターンの移動速度を複数設定した場合には、全ての移動速度について撮影が完了したか否かが判定されることとなる。そして、予定パラメータ全てについて撮影が終了すると、最後に静止状態の棒状パターン１０を撮影し（ステップＳ８）、撮影処理を終了する。なお、静止状態の棒状パターンの撮影画像は、後述の第２実施形態における静止画の位置合わせなどにおいて基準データとして使用することができる。
【００４３】
［第２実施形態］
次に、本発明の第２実施形態について説明する。第１実施形態では、シフト時間Δｔを正確に調整できれば、１フレームをＮ分割したＮ枚の静止画を撮影するのに理論上撮影を８回行えばよい。しかし、デジタルカメラ３として民生用のデジタルカメラを使用した場合などには、間欠撮影時間の誤差が存在する。実際には、シフト時間Δｔは民生用デジタルカメラの間欠撮影時間の誤差程度の短い時間（１／１００秒以下）であるので、シフト時間Δｔを正確に調整して撮影を行うことが難しい場合も考えられる。
【００４４】
本実施例では、周期Ｔが民生用のデジタルカメラで設定可能な実用的な秒数になるように点ＡＢ間の距離Ｌ及び繰り返し表示回数ｎを調整し、多数回撮影を行い、得られた多数の画像の時間平均により合成画像を生成する。本発明では、撮影回数は原理的にＮ回で足りるが、本実施形態では誤差などを考慮し、２Ｎ〜３Ｎ回と多めに（Ｎ＝８の場合、２０〜３０コマ）撮影するのが好ましい。
【００４５】
本実施形態では、シフト時間Δｔが誤差を含む場合を想定しているので、第１実施形態の場合のように、常に表示画面上の同じ位置で棒状パターン１０が観測されるとは限らない。そこで、複数回の撮影により取得した静止画に対して、相互に時間軸上における位置合わせを行う必要がある。つまり、シフト時間Δｔの誤差により撮影位置の精度が低下することを、撮影により得られた静止画の位置合わせ処理により補う。なお、実際の撮影処理は、図７を参照して説明した第１実施形態の場合と同様である。
【００４６】
図８乃至図１０を参照して、撮影された静止画の位置合わせ及び合成静止画の生成方法について説明する。まず、図８に示すように、撮影により得られた静止画から、棒状パターン１０の略中央の断面画像を抽出する。この処理を、撮影により得られた各静止画に対して行う。
【００４７】
次に、図９（ａ）に示すように、抽出した各断面画像の輝度を検出し、画像がぼけていない部分、即ち輝度が一定である部分の位置が一致するように、撮影された全ての静止画ｓｐ１〜ｓｐｍの位置を揃える。図９（ａ）の例では、各静止画の輝度が一定である部分を線３１に一致させて各静止画を整列させている。その後、各静止画ｓｐ１〜ｓｐｍの断面輝度プロファイル（輝度分布）を求める。静止画ｓｐｍの線３２における断面の輝度プロファイルの例が図９（ｂ）に示されている。
【００４８】
その後、図１０に示すように、得られた各静止画の輝度プロファイルの数値を計算して平均値を求め、最小二乗法により特性曲線を生成する。図１０の右端のグラフが、最終的に得られた輝度プロファイルの例を示している。この輝度プロファイルを利用して、動画ぼけ量の算出などを含む各種の評価処理がなされる。なお、得られた輝度プロファイルを使用して行う評価としては、既知の各種の評価を行うことができ、本発明の中心部分ではないので、説明を省略する。
【００４９】
（変形例）
上記の説明では、棒状パターンとして、図１０（ａ）に示すベタ塗りの棒状パターン１０を使用しているが、本実施例のように撮影により得られた静止画の位置合わせを行う場合には、例えば図１０（ｂ）に示す棒状パターン１１のように、白線などを含んだパターンを使用すると、位置合わせが行いやすい。図１０（ｂ）の例では、棒状パターン１１の輪郭付近は動画ぼけにより見にくくなるので、白線部分の輝度（射影）分布を利用して棒状パターン位置の自動判定を容易にすることができる。
【００５０】
なお、表示時間を微調整する場合には、例えばｎ回の繰り返し表示のｎ回目に点ＡＢ間の距離Ｌを若干縮めたり広げたりして棒状パターンが同じ位置に戻ってくる時間を１／６０秒単位で変えることができる。
【図面の簡単な説明】
【００５１】
【図１】動画ぼけの例、及び評価用画像の例を示す。
【図２】評価用画像中の棒状パターンの移動する様子を示す。
【図３】本発明による撮影の基本原理を示す。
【図４】第１実施形態による表示装置の評価システムの概略構成を示す。
【図５】第１実施形態による評価用画像が表示される様子を示す。
【図６】第１実施形態による撮影方法を模式的に示す図である。
【図７】撮影処理のフローチャートである。
【図８】撮影により得られた画像の処理方法を説明するための図である。
【図９】撮影により得られた画像の処理方法を説明するための図である。
【図１０】撮影により得られた画像の処理方法を説明するための図である。
【図１１】棒状の画像パターンの変形例を示す図である。
【符号の説明】
【００５２】
１  評価システム、  ２  表示装置、  ３  デジタルカメラ、  ４  ＰＣ、  モニタ、  １０  棒状（画像）パターン
【図１】
2005269058.tif 000003
【図２】
2005269058.tif 000004
【図３】
2005269058.tif 000005
【図４】
2005269058.tif 000006
【図５】
2005269058.tif 000007
【図６】
2005269058.tif 000008
【図７】
2005269058.tif 000009
【図８】
2005269058.tif 000010
【図９】
2005269058.tif 000011
【図１０】
2005269058.tif 000012
【図１１】
2005269058.tif 000013